【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
送信信号パルスの不要な振幅変調を低減する方法であって、該方法は、  所望の送信パルス形状に対応するフィルタされたパルス値を取得するためにデータ信号をパルス整形フィルタに通過させるステップと、  前記所望の送信パルス形状の一定振幅部分に対応するパルス値を識別し識別されたパルス値の実際の振幅情報を所定の振幅情報で置換することで、送信信号の生成の不要な振幅変調が低減された修正パルス値を取得するステップと、を含むことを特徴とする方法。
【請求項２】
フィルタされたパルス値を取得するためにデータ信号をパルス整形フィルタに通過させる前記ステップは、送信シンボル値をデジタルパルス整形フィルタに通過させるステップを含むことを特徴とする請求項１に記載の方法。
【請求項３】
送信シンボル値をデジタルパルス整形フィルタに通過させる前記ステップは、線形化されたＧＭＳＫ（Gaussian Minimum Shift Keying）シンボル値を前記デジタルパルス整形フィルタに通過させるステップを含むことを特徴とする請求項２に記載の方法。
【請求項４】
さらに、  前記識別されたパルス値の前記所定の振幅情報による置換に先立って、修正パルス値が位相値と振幅値とを含むように、前記パルス値を対応する位相値と振幅値とに分離するステップを含むことを特徴とする請求項１に記載の方法。
【請求項５】
さらに、  送信信号の生成に先立って、前記所定の振幅情報で置換することにより生じる任意のスペクトル拡散を低減するために、前記修正パルス値の振幅値をローパスフィルタに通過させるステップを含むことを特徴とする請求項４に記載の方法。
【請求項６】
さらに、  送信信号の生成に先立って、前記修正パルス値の位相値をローパスフィルタに通過させるステップを含むことを特徴とする請求項４に記載の方法。
【請求項７】
さらに、  前記データ信号が、修正パルス値が取得されている線形化されたＧＭＳＫ（Gaussian Minimum Shift Keying）信号を含むか、あるいは、修正パルス値が取得されていない非ＧＭＳＫ信号を含むかの何れであるかに依存して、修正パルス値を取得するステップを選択的に実行するステップを含むことを特徴とする請求項１に記載の方法。
【請求項８】
さらに、  前記所定の振幅情報の置換に起因するいかなるスペクトル拡張も低減するために、送信信号の生成に先立って前記修正パルスにローパスフィルタをかけるステップを含むことを特徴とする請求項１に記載の方法。
【請求項９】
前記所望の送信パルス形状の一定振幅部分に対応するパルス値の前記識別は、定義済みの振幅閾値と関連するパルス値の振幅を監視することを含むことを特徴とする請求項１に記載の方法。
【請求項１０】
前記所望の送信パルス形状は、上昇する振幅開始部分、一定振幅の中間部分、そして、下降する振幅終了部分を含み、  前記所望の送信パルス形状の一定振幅部分に対応するパルス値の識別は、パルス値の振幅が定義済みの振幅閾値を上回るまで上昇する置換の開始点を検出し、パルス値の振幅が定義済みの振幅閾値を下回るまで下降する引き続く置換の終了点を検出するためパルス値の振幅を定義済みの振幅閾値と比較することを含むことを特徴とする請求項１に記載の方法。
【請求項１１】
識別されたパルス値の実際の振幅情報を所定の振幅情報での前記置換は、前記置換の開始点と終了点との間で発生したパルス値に対して実際のパルス振幅を所定の振幅で交換することを特徴とする請求項１０に記載の方法。
【請求項１２】
パルス値の振幅の定義済みの振幅閾値との前記比較は、前記パルス値のデジタル化された振幅を格納されたデジタル化された所望の振幅と比較することを含むことを特徴とする請求項１０に記載の方法。
【請求項１３】
さらに、  前記定義済みの振幅閾値を送信信号の生成のための所望の振幅値に設定するステップを含むことを特徴とする請求項１０に記載の方法。
【請求項１４】
電気通信の送信機に使用される送信回路であって、該送信回路は、  所望の送信パルス形状に従ってパルス値を出力するよう構成されたパルス整形フィルタからフィルタされたパルス値を受信するよう構成された処理回路を含み、  該処理回路は、さらに、所望の送信パルス形状の一定振幅部分に対応するパルス値を識別し、所定の振幅情報で識別されたパルス値の実際の振幅情報と置換することにより、送信信号の生成のために不要な振幅変調の低減を有する修正パルス値を取得するよう構成されることを特徴とする送信回路。
【請求項１５】
前記パルス値は、線形化されたＧＭＳＫ（Gaussian Minimum Shift Keying）信号パルスを表し、前記処理回路は、前記ＧＭＳＫ信号パルスの公称上一定振幅部分の振幅変調を低減するよう構成されることを特徴とする請求項１４に記載の送信回路。
【請求項１６】
前記処理回路は前記パルス値をデジタル値として受信するよう構成されることを特徴とする請求項１４に記載の送信回路。
【請求項１７】
前記処理回路は前記パルス値をデジタル位相値および対応するデジタル振幅値として受信するよう構成されることを特徴とする請求項１４に記載の送信回路。
【請求項１８】
前記処理回路は極性変調ベースの送信信号の生成での使用のため前記修正パルス値をデジタル位相値および対応するデジタル振幅値として出力するよう構成されることを特徴とする請求項１４に記載の送信回路。
【請求項１９】
前記処理回路は、前記所定の振幅情報の置換に起因するいかなるスペクトル拡張も低減するために、前記デジタル位相値および振幅値にフィルタをかけるためのローパスフィルタを含むことを特徴とする請求項１８に記載の送信回路。
【請求項２０】
前記処理回路は、前記送信回路が内包された送信機がＧＭＳＫ（Gaussian Minimum Shift Keying）信号変調モードまたは非ＧＭＳＫ信号変調モードの何れで動作しているかに依存して選択原則に基づいて修正パルス値を取得するよう構成されることを特徴とする請求項１４に記載の送信回路。
【請求項２１】
前記処理回路は、  前記所望の送信パルス形状の一定振幅部分に対応する前記パルス値を識別するためにコンパレータ回路と、  識別されたパルス値に対して前記所定の振幅情報で前記実際の振幅情報を置換する制御回路と、を含むことを特徴とする請求項１４に記載の送信回路。
【請求項２２】
前記処理回路は、前記送信回路が、前記送信機のモードがＧＭＳＫ（Guassian Minimum Shift Keying）信号変調モードのとき前記修正パルス値を取得し、前記送信機のモードが非ＧＭＳＫ信号変調モードのとき前記送信機回路が修正されることなく前記パルス値をパススルーで取得するように、送信機のモードに対応して選択的に前記修正パルス値を取得するよう構成されることを特徴とする請求項２１に記載の送信回路。
【請求項２３】
前記送信回路は、さらに、前記修正パルスの振幅値にフィルタをかけるために選択的にアクティブ可能なデジタルフィルタを含むことを特徴とする請求項２２に記載の送信回路。
【請求項２４】
前記所望の送信パルス形状は、上昇する振幅開始部分、一定振幅の中間部分、そして、下降する振幅終了部分を含み、  前記コンパレータ回路は、定義済みの振幅閾値を上回るパルス値の振幅を検出することにより前記中間部分に対応するパルス振幅値を認識するよう構成され、検出に対応して前記制御回路に信号を送信することを特徴とする請求項２１に記載の送信回路。
【請求項２５】
前記制御回路は、前記コンパレータ回路からの信号の送信に対応して所定の振幅値で前記パルス値の実際の振幅を置換することを特徴とする請求項２４に記載の送信回路。
【請求項２６】
無線通信のネットワークに使用される移動局であって、該移動局は、  前記ネットワークに通信信号を送信し、該ネットワークから通信信号を受信する送受信機を含み、  該送受信機は、所望の送信パルス形状に対応する入力パルス値を取得するよう構成されたパルス整形フィルタと、送信信号パルスの生成に用いられる１つ以上の前記入力パルス値の所定の振幅情報で実際の振幅情報を選択的に置換することに基づいて出力パルス値を生成することにより送信信号パルスの不要な振幅変調を低減するよう構成された送信回路と、を含むことを特徴とする移動局。
【請求項２７】
前記移動局は、ＧＭＳＫ信号パルスを送信するＧＭＳＫ（Gaussian Minimum Shift Keying）モードで動作するよう構成され、また、非ＧＭＳＫ信号パルスを送信する非ＧＭＳＫモードで動作するよう構成されることを特徴とする請求項２６に記載の移動局。
【請求項２８】
前記送信回路は、前記移動局が前記ＧＭＳＫモードで動作しているとき前記所定の振幅情報で置換し、前記移動局が前記非ＧＭＳＫモードで動作しているとき前記所定の振幅情報で置換しないよう構成されることを特徴とする請求項２７に記載の移動局。
【請求項２９】
前記ＧＭＳＫモードでの動作において、前記送信回路は、前記ＧＭＳＫ信号パルスの一定振幅部分に対応する実際の振幅値に対して、前記パルス整形フィルタを介して取得した実際の振幅値の代わりに所定の振幅値で置換するよう構成されることを特徴とする請求項２７に記載の移動局。
【請求項３０】
前記送信回路は、前記移動局に含まれる送信機の一部を含んでおり、前記送信機は極性変調送信機を含んでおり、  該極性変調送信機は、対応するパルス値を取得するために送信データ信号を前記パルス整形フィルタに通過させ、前記パルス値を位相値および振幅値に分離することを特徴とする請求項２７に記載の移動局。
【請求項３１】
前記送信機は、前記非ＧＭＳＫモードで動作するとき前記位相値および振幅値に基づいて極性変調を介して送信信号を生成し、前記ＧＭＳＫモードで動作するとき前記所定の振幅情報による前記選択的な置換を介して前記振幅値を修正するよう構成されることを特徴とする請求項３０に記載の移動局。
【請求項３２】
送信信号パルスの不要な振幅推移を低減する方法であって、該方法は、  所望の送信パルス形状に対応する入力パルス値を取得するためにデータ信号をパルス整形フィルタに通過させるステップと、  １つ以上の前記入力パルス値に対して所定の振幅情報で実際の振幅情報を選択的に置換することにより送信信号の生成の出力パルス値を生成するステップと、を含むことを特徴とする方法。
【請求項３３】
１つ以上の前記入力パルス値に対して所定の振幅情報で実際の振幅情報を選択的に置換することにより送信信号の生成の出力パルス値を生成する前記ステップは、  ＧＭＳＫ（Gaussian Minimum Shift Keying）転送モードでは選択的置換を実行し、非ＧＭＳＫ転送モードでは選択的置換を実行しないことを特徴とする請求項３２に記載の方法。
【請求項３４】
前記非ＧＭＳＫモードにおける前記出力パルス値の生成は、送信信号の生成のための前記出力パルス値として前記入力パルス値をパススルーすることを含むことを特徴とする請求項３３に記載の方法。
【請求項３５】
所望の送信パルス形状に対応する入力パルス値を取得するためにデータ信号をパルス整形フィルタに通過させる前記ステップは、さらに、  前記入力パルス値を入力位相値および入力振幅値に分離するステップを含むことを特徴とする請求項３２に記載の方法。
【請求項３６】
１つ以上の前記入力パルス値に対して所定の振幅情報での実際の振幅情報の選択的な置換は、  少なくとも１つの送信機動作モードにおいて、前記所望の送信パルス形状の一定振幅部分に対応する入力振幅値を識別し、識別された入力振幅に対して所定の振幅値で置換することで出力振幅値を生成することを特徴とする請求項３５に記載の方法。